(57)【特許請求の範囲】
【請求項１】
無線通信環境においてリソースを取得することを容易にする方法であって、
チャンネル品質指標情報を伝送するフィードバック情報チャネル上で従来用いられたターゲット誤り率より低いターゲット誤り率を達成するために必要なブースト量を表す電力レベル閾値を、チャネル状態、干渉レベルを含む無線通信環境のパラメータに基づいて求める、ことと、
アップリンクリソース要求を送信する前に前記電力レベル閾値に少なくとも部分的に基づいて前記フィードバック情報チャネルの電力スペクトル密度を増加させ、前記増加は前記送信の信頼性を改善し、前記電力スペクトル密度を増加させることは、前記ブースト量だけ、現在の電力スペクトル密度値を増加させることを備える、ことと、
前記フィードバック情報チャネルで前記アップリンクリソース要求を送信することと、
前記アップリンクリソース要求の送信後、前記フィードバック情報チャネルの電力スペクトル密度を低減することと
を備える方法。
【請求項２】
アップリンクリソース要求のための１つ又は複数のコードワードを予約することを更に備える請求項１に記載の方法。
【請求項３】
前記アップリンクリソース要求を送信することは、前記フィードバックチャネルで、前記予約された１つ又は複数のコードワードのうちの少なくとも１つを送信することを備える請求項２に記載の方法。
【請求項４】
前記フィードバック情報チャネルは、チャネル品質インジケータを送信するために従来用いられたチャネル品質情報チャネルである請求項１に記載の方法。
【請求項５】
チャンネル品質指標情報を伝送するフィードバック情報チャネル上で従来用いられたターゲット誤り率より低いターゲット誤り率を達成するために必要なブースト量を表す電力レベル閾値を、チャネル状態、干渉レベルを含む無線通信環境のパラメータに基づいて求める、ことと、
アップリンクリソース要求を送信する前に前記電力レベル閾値に少なくとも部分的に基づいて前記フィードバック情報チャネルの電力スペクトル密度を増加させ、前記増加は前記送信の信頼性を改善し、前記電力スペクトル密度を増加させることは、前記ブースト量だけ、現在の電力スペクトル密度値を増加させることを備える、ことと、
前記フィードバック情報チャネルで前記アップリンクリソース要求を送信することと、
前記アップリンクリソース要求の送信後、前記フィードバック情報チャネルの電力スペクトル密度を低減することと、
に関連する、命令群を保持するメモリと、
前記メモリに接続され、前記メモリ内に保持された前記命令群を実行するように構成されたプロセッサと
を備える無線通信装置。
【請求項６】
前記メモリは更に、アップリンクリソース要求のための１つ又は複数のコードワードを予約する命令群を保持する請求項５に記載の無線通信装置。
【請求項７】
前記メモリは、前記予約された１つ又は複数のコードワードを保持する請求項６に記載の無線通信装置。
【請求項８】
前記フィードバック情報チャネルは、チャネル品質インジケータを送信するために従来用いられたチャネル品質情報チャネルである請求項５に記載の無線通信装置。
【請求項９】
無線通信環境においてリソースを取得することを容易にする無線通信装置であって、
チャンネル品質指標情報を伝送するフィードバック情報チャネル上で従来用いられたターゲット誤り率より低いターゲット誤り率を達成するために必要なブースト量を表す電力レベル閾値を、チャネル状態、干渉レベルを含む無線通信環境のパラメータに基づいて求める、手段と、
アップリンクリソース要求を送信する前に前記電力レベル閾値に少なくとも部分的に基づいて前記フィードバック情報チャネルの電力スペクトル密度を増加させる手段であって、前記増加は、前記送信の信頼性を改善し、前記電力スペクトル密度を増加させる手段は、前記ブースト量だけ、現在の電力スペクトル密度値を増加させる手段を備える、手段と、
前記フィードバック情報チャネルで前記アップリンクリソース要求を送信する手段と、
前記アップリンクリソース要求の送信後、前記フィードバック情報チャネルの電力スペクトル密度を低減する手段と
を備える無線通信装置。
【請求項１０】
アップリンクリソース要求のための１つ又は複数のコードワードを予約する手段を更に備える請求項９に記載の無線通信装置。
【請求項１１】
前記アップリンクリソース要求を送信する手段は、前記フィードバック情報チャネルで、前記予約された１つ又は複数のコードワードのうちの少なくとも１つを送信する手段を更に備える請求項１０に記載の無線通信装置。
【請求項１２】
前記フィードバック情報チャネルは、チャネル品質インジケータを送信するために従来用いられたチャネル品質情報チャネルである請求項９に記載の無線通信装置。
【請求項１３】
チャンネル品質指標情報を伝送するフィードバック情報チャネル上で従来用いられたターゲット誤り率より低いターゲット誤り率を達成するために必要なブースト量を表す電力レベル閾値を、チャネル状態、干渉レベルを含む無線通信環境のパラメータに基づいて求め、
アップリンクリソース要求を送信する前に前記電力レベル閾値に少なくとも部分的に基づいて前記フィードバック情報チャネルの電力スペクトル密度を増加させ、前記増加は、前記送信の信頼性を改善させ、前記電力スペクトル密度を増加させることは、前記ブースト量だけ、現在の電力スペクトル密度値を増加させることを備え、
前記フィードバック情報チャネルで前記アップリンクリソース要求を送信し、
前記アップリンクリソース要求の送信後、前記フィードバック情報チャネルの電力スペクトル密度を低減する
機械実行可能命令群を格納して有する機械読取可能記憶媒体。
【請求項１４】
アップリンクリソース要求のための１つ又は複数のコードワードを予約する命令群を更に備える請求項１３に記載の機械読取可能記憶媒体。
【請求項１５】
前記アップリンクリソース要求を送信することは、前記フィードバック情報チャネルで、前記予約された１つ又は複数のコードワードのうちの少なくとも１つを送信することを備える請求項１４に記載の機械読取可能記憶媒体。
【請求項１６】
前記フィードバック情報チャネルは、チャネル品質インジケータを送信するために従来用いられたチャネル品質情報チャネルである請求項１３に記載の機械読取可能記憶媒体。
【請求項１７】
無線通信システムにおける装置であって、
チャンネル品質指標情報を伝送するフィードバック情報チャネル上で従来用いられたターゲット誤り率より低いターゲット誤り率を達成するために必要なブースト量を表す電力レベル閾値を、チャネル状態、干渉レベルを含む無線通信環境のパラメータに基づいて求め、
アップリンクリソース要求を送信する前に前記電力レベル閾値に少なくとも部分的に基づいて前記フィードバック情報チャネルの電力スペクトル密度を増加させ、前記増加は、前記送信の信頼性を改善させ、前記電力スペクトル密度を増加させることは、前記ブースト量だけ、現在の電力スペクトル密度値を増加させることを備え、
前記フィードバック情報チャネルで前記アップリンクリソース要求を送信し、
前記アップリンクリソース要求の送信後、前記フィードバック情報チャネルの電力スペクトル密度を低減する
ように構成された集積回路を備える装置。
【発明の詳細な説明】
【関連出願への相互参照】
【０００１】
本出願は、２００６年１０月３１日に出願された「ＲＥＬＩＡＢＬＥ  ＵＬ  ＲＥＳＯＵＲＣＥ  ＲＥＱＵＥＳＴ」と題された、米国仮特許出願第６０／８６３，７９４号の利益を主張する。前述の出願の全体は、参照によって本明細書に組込まれる。
【技術分野】
【０００２】
以下の記載は、一般に無線通信に関し、特にアップリンクリソースのための信頼性のある要求に関する。
【背景技術】
【０００３】
無線通信システムは、例えば、音声、データ等といった様々なタイプの通信コンテンツを提供するために広く展開されている。典型的な無線通信システムは、利用可能なシステム・リソース（例えば、帯域幅、送信電力、．．．）を共有することによって、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含みうる。
【０００４】
一般に、無線多元接続通信システムは、複数のモバイル装置のための通信を同時にサポートしうる。各モバイル装置は、順方向リンク及び逆方向リンク上の送信を介して１つ又は複数の基地局と通信してもよい。順方向リンク（あるいはダウンリンク）は基地局からモバイル装置までの通信リンクを指し、また、逆方向リンク（あるいはアップリンク）はモバイル装置から基地局への通信リンクを指す。さらに、モバイル装置と基地局との間の通信は、ＳＩＳＯ（single-input single-output）システム、ＭＩＳＯ（multiple-input single-output）システム、ＭＩＭＯ（multiple-input multiple-output）システム等を介して確立されてもよい。
【０００５】
ＭＩＭＯシステムは、一般に、データ送信用に複数（ＮＲ）本の受信アンテナ及び複数（ＮＴ）本の送信アンテナを使用する。ＮＴ本の送信アンテナ及びＮＲ本の受信アンテナによって形成されるＭＩＭＯチャネルは、ＮＳ個の独立したチャネルに分解されうるが、これらは空間的なチャネルと称されてもよく、ここでＮＳ≦｛ＮＴ，ＮＲ｝である。ＮＳ個の独立したチャネルの各々は次元（dimension）に対応する。さらに、複数本の送信アンテナ及び受信アンテナによって作成された付加的な次元が利用される場合、ＭＩＭＯシステムは改善されたパフォーマンス（例えば、増加されたスペクトル効率、より高いスループット及び／又はより大きな信頼性）を提供しうる。
【０００６】
ＭＩＭＯシステムは、様々な複信技法をサポートして、共通の物理的な媒体上の順方向リンク通信と逆方向リンク通信を分割してもよい。例えば、周波数分割複信（ＦＤＤ）システムは、順方向リンク通信と逆方向リンク通信に異なる周波数範囲を利用してもよい。さらに、時分割複信（ＴＤＤ）システムでは、順方向リンク通信と逆方向リンク通信は共通の周波数範囲を使用してもよい。しかしながら、従来の技法はチャネル情報に関する限定されたフィードバックを提供しうるか、フィードバックを提供しえない。
【発明の概要】
【０００７】
下記は、１つ又は複数の実施形態の簡略化された概要を、そのような実施形態の基本的な理解を提供するために提示する。この概要は全ての予期される実施形態の広範囲な概観ではなく、また、全ての実施形態の重要な若しくは重大な要素を識別することも、任意の若しくは全ての実施形態の範囲を描写することも意図されていない。その唯一の目的は、後に提示されるより詳細な説明の序文として、１つ又は複数の実施形態の幾つかの概念を単純化された形式で提示することである。
【０００８】
一面によれば、無線通信環境でリソースを取得することを容易にする方法が本明細書に記載される。この方法は、フィードバック情報チャネルでアップリンクリソース要求を送信することを備えることができる。また、この方法は、フィードバック情報チャネルの電力スペクトル密度を増加させることを含むことができ、この増加は送信の信頼性を改善する。
【０００９】
別の面は、フィードバック情報チャネルでアップリンクリソース要求を送信し、フィードバック情報チャネルの電力スペクトル密度を増加させることに関連する命令を保持するメモリを備えることができ、この増加は送信の信頼性を改善する無線通信装置に関する。無線通信装置はまた、メモリに接続され、メモリに保持された命令を実行するように構成されプロセッサを含むこともできる。
【００１０】
また別の面は、無線通信環境においてリソースを取得することを容易にする無線通信装置に関する。この装置は、フィードバック情報チャネルでアップリンクリソース要求を送信する手段を備えることができる。装置は更に、フィードバック情報チャネルの電力スペクトル密度を増加させる手段を含むことができる。この増加は、送信の信頼性を改善する。
【００１１】
また別の面は、フィードバック情報チャネルでアップリンクリソース要求を送信する機械実行可能命令群を格納して有する機械読取可能媒体に関する。機械読取可能媒体はまた、フィードバック情報チャネルの電力スペクトル密度を増加させる命令群を含むこともできる。この増加は、送信の信頼性を改善する。
【００１２】
別の面によれば、無線通信システムにおいて、装置は集積回路を備えることができる。集積回路は、フィードバック情報チャネルでアップリンクリソース要求を送信するように構成されることができる。この集積回路は更に、フィードバック情報チャネルの電力スペクトル密度を増加させるように構成されることができ、この増加は、送信の信頼性を改善する。
【００１３】
また別の面によれば、無線通信環境においてアップリンクリソースを提供することを容易にする方法が本明細書に記載される。この方法は、フィードバック情報チャネル上でアップリンクリソース要求を識別することを備えることができる。方法は更に、識別されたアップリンクリソース要求に少なくとも部分的に基づいて、１つ又は複数のモバイル装置に関するリソースをスケジュールすることを含むこともできる。
【００１４】
本明細書に記載される別の面は、フィードバック情報チャネル上でアップリンクリソース要求を識別することと、識別されたアップリンクリソース要求に少なくとも部分的に基づいて、１つ又は複数のモバイル装置に関するリソースをスケジュールすることとに関連する命令群を保持するメモリを含むことができる無線通信装置に関する。加えて、この無線通信装置は、メモリに接続され、メモリ内に保持された命令群を実行するように構成されたプロセッサを備えることができる。
【００１５】
また別の面は、無線通信環境においてアップリンクリソースを提供することを容易にする無線通信装置に関する。この装置は、フィードバック情報チャネル上でアップリンクリソース要求を識別する手段を備えることができる。装置は更に、識別されたアップリンクリソース要求に少なくとも部分的に基づいて、１つ又は複数のモバイル装置に関するリソースをスケジュールする手段を含むことができる。
【００１６】
また別の面は、機械実行可能命令群を格納して有する機械読取可能媒体に関する。この機械読取可能媒体は、フィードバック情報チャネル上でアップリンクリソース要求を識別する命令群を備えることができる。機械読取可能媒体は更に、識別されたアップリンクリソース要求に少なくとも部分的に基づいて、１つ又は複数のモバイル装置に関するリソースをスケジュールする命令群を含むことができる。
【００１７】
本明細書に記載される更なる面は、無線通信システムにおける、集積回路を備えることができる装置に関係がある。この集積回路は、フィードバック情報チャネル上でアップリンクリソース要求を識別するように構成されることができる。加えて、集積回路は、識別されたアップリンクリソース要求に少なくとも部分的に基づいて、１つ又は複数のモバイル装置に関するリソースをスケジュールするように構成されることができる。
【００１８】
以下の記載及び関連する目的の達成のために、１つ又は複数の実施形態は、特許請求の範囲において完全に説明され、指摘された特徴を備える。以下の記載及び添付図面は、１つ又は複数の実施形態のある実例となる面を詳細に述べる。しかしながら、これらの面は、様々な実施形態の原理が用いられ、説明される様々な方法のうちのいくつかが、そのような局面及びそれらの均等物全てを含むように意図される。
【図面の簡単な説明】
【００１９】
【図１】図１は、本明細書に述べられる様々な面に係る無線通信システムの図である。
【図２】図２は、主題の開示の一面に係る無線通信システムにおける通信装置の例の図である。
【図３】図３は、主題の開示の一面に係る信頼性のあるアップリンクリソース要求を容易にする無線通信システムの図である。
【図４】図４は、アップリンクリソースを確実に要求することを容易にする方法論の例の図である。
【図５】図５は、無線通信環境においてアップリンクリソースを提供することを容易にする方法論の例の図である。
【図６】図６は、アップリンクリソースを確実に要求することを容易にするモバイル装置の例の図である。
【図７】図７は、無線通信環境においてアップリンクリソースを提供することを容易にするシステムの例の図である。
【図８】図８は、本明細書に記載される様々なシステム及び方法と共に使用されることができる無線ネットワーク環境の例の図である。
【図９】図９は、アップリンクリソースを確実に要求することを容易にするシステムの例の図である。
【図１０】図１０は、無線通信環境においてアップリンクリソースを提供することを容易にするシステムの例の図である。
【発明を実施する形態】
【００２０】
様々な実施形態は、全体にわたって同様の参照符号が同様の要素を参照するために用いられる図面を参照しつつ、次に記載される。下記の記載では、説明の目的のため、１つ又は複数の実施形態の充分な理解を提供するために、多数の特定の詳細が述べられる。しかしながら、そのような実施形態が、これらの特定の詳細無しに行われうることは明白でありうる。他の場合には、周知の構造及び装置は、１つ又は複数の実施形態を記載することを容易にするためにブロック図の形式で示される。
【００２１】
本明細書で用いられるように、「構成要素（component）」、「モジュール」、「システム」等の用語は、ハードウェア、ファームウェア、ハードウェアとソフトウェアとの組み合わせ、ソフトウェア、又は実行中のソフトウェアのいずれにしても、コンピュータ関連のエンティティを指すことを意図される。例えば、構成要素は、プロセッサ上で実行中の処理、プロセッサ、オブジェクト、実行可能形式（executable）、実行中のスレッド、プログラム、及び／又は、コンピュータであってもよいが、これらに限定されない。例証として、コンピューティングデバイス上で実行中のアプリケーションと、当該コンピューティングデバイスとの双方が構成要素になりうる。１つ又は複数の構成要素は、実行中のスレッド及び／又は処理内に存在することができ、また、構成要素は、１台のコンピュータにローカル化されても、及び／又は、２台以上のコンピュータ間で分散させられてもよい。また、これらの構成要素は、格納された様々なデータ構造を有する様々なコンピュータ読取可能媒体から実行されることができる。構成要素は、例えば１つ又は複数のデータ・パケット（例えば、分散システム、ローカルシステムの別の構成要素と、及び／又は、インターネットといったネットワーク中で他のシステムと信号を経由して、やり取りする１つの構成要素からのデータ）を有する信号に従ったローカルな処理及び／又は遠隔処理を経由して通信してもよい。
【００２２】
更に、様々な実施形態はモバイル装置に関して本明細書に記載される。モバイル装置は、システム、加入者ユニット、加入者局、移動局、モバイル、遠隔局、遠隔端末、アクセス端末、ユーザ端末、ターミナル、無線通信装置、ユーザエージェント、ユーザ装置、又はユーザ機器（ＵＥ）と呼ぶこともできる。モバイル装置は、携帯電話、コードレス電話、セッション開始プロトコル（ＳＩＰ）電話、ワイヤレスローカルループ（ＷＬＬ）局、パーソナルデジタルアシスタント（ＰＤＡ）、無線接続能力を有するハンドヘルド装置、コンピューティングデバイス、又は無線モデムに接続された他の処理装置であってもよい。さらに、様々な実施形態は基地局に関して本明細書に記載される。基地局はモバイル装置と通信するために利用されてもよく、また、アクセスポイント、ノードＢ、あるいは何らかの他の用語で称されてもよい。
【００２３】
更に、本明細書に記載された様々な面又は特徴は、方法、装置、又は、標準的なプログラミング及び／又はエンジニアリング技法を用いる製品として実施されてもよい。本明細書で用いられるような「製品」という用語は、任意のコンピュータ読み取り可能な装置、キャリア、又は媒体からアクセス可能なコンピュータ・プログラムを包含することを意図される。例えば、コンピュータ読み取り可能な媒体は、磁気記憶装置（例えば、ハードディスク、フロッピー（登録商標）ディスク、磁気ストリップ等）、光ディスク（例えば、コンパクトディスク（ＣＤ）、デジタル・バーサタイル・ディスク（ＤＶＤ）等）、スマート・カード、及びフラッシュメモリ装置（例えば、ＥＰＲＯＭ、カード、スティック、キードライブ等）を含むことができるが、これらに限定されない。さらに、本明細書に記載される様々な記憶媒体は、情報を格納するための１つ又は複数の装置及び／又は他の機械読み取り可能な媒体を表わすことができる。「機械読み取り可能な媒体」という用語は、命令及び／又はデータを格納し、包含し、及び／又は伝えることができる無線チャネル及び様々な他の媒体を含むことができる。
【００２４】
図１を最初に参照すると、本明細書に提示される様々な実施形態に係る無線通信システム１００が示されている。システム１００は、複数のアンテナグループを備えうる基地局１０２を備える。例えば、１つのアンテナグループはアンテナ１０４及び１０６を備えてもよく、別のグループはアンテナ１０８及び１１０を備えてもよく、また、追加のグループはアンテナ１１２及び１１４を備えてもよい。各アンテナグループについて２本のアンテナが示されているが、各グループについて、より多数の又はより少数のアンテナが利用されてもよい。基地局１０２はさらに送信機鎖及び受信機鎖を備えてもよく、これらの各々は、当業者には認識されるだろうが、信号送受信に関連付けられた複数の構成要素（例えば、プロセッサ、変調器、マルチプレクサ、復調器、デマルチプレクサ、アンテナ等）を備えることができる。
【００２５】
基地局１０２は、モバイル装置１１６及びモバイル装置１２２といった、１つ又は複数のモバイル装置と通信しうる。しかしながら、基地局１０２は、モバイル装置１１６及び１２２に類似する、実質的に任意の数のモバイル装置と通信してもよいことが認識されるべきである。モバイル装置１１６及び１２２は、例えば、携帯電話、スマートフォン、ラップトップ、ハンドヘルド通信装置、ハンドヘルドコンピューティングデバイス、衛星ラジオ、全地球測位システム、ＰＤＡ、及び／又は、無線通信システム１００で通信するための任意の他の適当な装置であることができる。図示されるように、モバイル装置１１６はアンテナ１１２及び１１４と通信中であるが、アンテナ１１２及び１１４は順方向リンクすなわちダウンリンク１１８上でモバイル装置１１６に情報を送信し、また、逆方向リンクすなわちアップリンク１２０上でモバイル装置１１６から情報を受信する。さらに、モバイル装置１２２はアンテナ１０４及び１０６と通信中であるが、アンテナ１０４及び１０６は順方向リンク１２４上でモバイル装置１２２に情報を送信し、また、逆方向リンク１２６上でモバイル装置１２２から情報を受信する。周波数分割複信（ＦＤＤ）システムにおいて、例えば、順方向リンク１１８は逆方向リンク１２０によって用いられるものとは異なる周波数帯を利用してもよく、また、順方向リンク１２４は逆方向リンク１２６によって使用されるものとは異なる周波数帯を使用してもよい。さらに、時分割複信（ＴＤＤ）システムにおいて、順方向リンク１１８及び逆方向リンク１２０は共通の周波数帯を利用してもよく、また、順方向リンク１２４及び逆方向リンク１２６は共通の周波数帯を利用してもよい。
【００２６】
アンテナのセット及び／又はそれらが通信するために指定される領域は、基地局１０２のセクタと称されうる。例えば、複数のアンテナは、基地局１０２によってカバーされる領域のセクタ中のモバイル装置と通信するように設計されてもよい。順方向リンク１１８及び１２４上の通信では、基地局１０２の送信アンテナは、ビームフォーミング（beamforming）を利用して、モバイル装置１１６及び１２２のための順方向リンク１１８及び１２４の信号対雑音比を改善しうる。さらに、関連付けられたカバレッジを介してランダムに分散されたモバイル装置１１６及び１２２に送信するために基地局１０２がビームフォーミングを利用する一方で、隣接するセル中のモバイル装置は、その全てのモバイル装置に単独のアンテナを介して送信する基地局と比較して、より少ない干渉を受けうる。
【００２７】
一例によれば、システム１００はＭＩＭＯ（multiple-input multiple-output）通信システムであってもよい。さらに、システム１００は、ＦＤＤ、ＴＤＤ等といった任意のタイプの複信を利用してもよい。例証に従って、基地局１０２は順方向リンク１１８及び１２４でモバイル装置１１６及び１２２に送信してもよい。さらに、モバイル装置１１６及び１２２は、それぞれの順方向リンクすなわちダウンリンクチャネルを評価し（estimate）、逆方向リンクすなわちアップリンク１２０及び１２２を介して基地局１０２へ提供されうる対応するフィードバックを生成してもよい。前述したように、モバイル装置１１６及び１２２は、逆方向リンク１２０及び１２２介して基地局１０２へ情報を送信することができる。典型的には、基地局１０２は、モバイル装置１１６及び１２２に、データ送信においてモバイル装置によって使用されるべきアップリンクリソースをスケジュールし、割り当てる。基地局１０２は複数のスケジューリング技法を利用することができる。例えば、ＦＤＭＡベースのシステムでは、２つのタイプのスケジューリング技法が従来使用される。サブバンド・スケジューリングあるいは周波数選択的なスケジューリングでは、ユーザ・パケットは狭い帯域幅に限定されるトーン割り当て（tone allocations）にマッピングされる。ダイバーシティ・スケジューリングあるいは周波数ホップ・スケジューリング（frequency hopped scheduling）では、ユーザ・パケットはシステム帯域幅全体にわたるトーン割当てにマッピングされる。
【００２８】
モバイル装置１１６及び１２２はアップリンクリソースを要求するか、あるいはスケジュールされることを要求することができる。しかしながら、モバイル装置１１６及び１２２が最初にアップリンクリソースを有さない場合、モバイル装置１１６及び１２２が要求を送信することは困難である。従来、モバイル装置１１６及び１２２には別個の物理チャネルを提供することができ、この別個の物理チャネルがアップリンク要求のために予約される（reserved）。また、アップリンクリソース要求はデータと共に帯域内で送信されることができる。これはＵＭＴＳ（universal mobile telecommunications system）の下で可能である。しかしながら、それは専用のリソースを予約することに等しいので、それはＬＴＥ（long term evolution）では非効率的であると分かるだろう。主題の開示の一面によれば、モバイル装置１１６及び１２２は、他の目的のために従来割り当てられた物理チャネルあるいは他のそのようなチャネルを用いて、アップリンクリソースを要求することができる。その要求は、割り当てられた物理チャネル上の予約されたコードワード（codewords）を利用してなされることができる。さらに、コードワードが確実に受信されるように、この予約コードワードの電力は高められる。
【００２９】
次に図２を参照すると、図示されているのは、無線通信環境における使用のための通信装置２００である。通信装置２００は、基地局あるいはその一部、又はモバイル装置あるいはその一部でありうる。通信装置２００は、モバイル装置のためのアップリンクリソースを要求し予約すること、あるいは、アップリンクリソースをスケジューリングすることを容易にするリソース要求エンジン２０２を備える。リソース要求エンジン２０２は、モバイル装置が利用可能なリソースを有さない場合にアップリンクリソースを要求することを容易にする。一例として、通信装置２００はモバイル装置とすることができる。この実例によれば、リソース要求エンジン２０２は、別の目的のために割り当てられたチャネルでアップリンクリソース要求を送信することができる。また、リソース要求エンジンは、チャネルの電力スペクトル密度（ＰＳＤ）を増加させて、要求送信の信頼性を改善することができる。チャネルは、例えば、チャネル品質指標（ＣＱＩ）チャネルといったフィードバック情報チャネルとすることができる。
【００３０】
別の例によれば、通信装置２００は基地局になりうる。この実例に従って、通信装置２００のリソース要求エンジン２０２は、別個の機能のために従来割り当てられたチャネル上でモバイル装置からのアップリンクリソース要求を識別することができる。さらに、リソース要求エンジン２０２は、識別されたアップリンク要求及び複数の他のモバイル装置から受信される他の要求に基づいて、モバイル装置のためにリソースをスケジュールすることができる。アップリンクリソース要求は、他のチャネルで送信されたアップリンクリソース要求のために予約されたコードワードを含むことができる。モバイル装置は、この予約コードワードを送信してリソース要求を示すことができ、また、基地局は、予約コードワードに基づいて、アップリンク要求を他の情報と区別することができる。
【００３１】
さらに、図示されていないが、通信装置２００は、フィードバック情報チャネルでアップリンクリソース要求を送信し、フィードバック情報チャネルの電力を高め、アップリンクリソース要求のためのコードワードを予約し、フィードバック情報チャネル上で要求を識別し、アップリンクリソースをスケジュールする等に関する命令を保持するメモリを備えうることが認識されるべきである。さらに、通信装置２００は、命令（例えば、メモリ内に保持された命令、異なるソースから得られた命令、．．．）の実行に関連して利用されてもよいプロセッサを備えうる。
【００３２】
図３を参照すると、図示されるのは、信頼性のあるアップリンクリソース要求を容易にする無線通信システム３００である。システム３００は、モバイル装置３０２（及び／又は、任意の数の異なるモバイル装置（図示せず））と通信する基地局３０４を備える。基地局３０４は、順方向リンクすなわちダウンリンクチャネルでモバイル装置３０２に情報を送信しうる。さらに、基地局３０４は、逆方向リンクすなわちアップリンクチャネルでモバイル装置３０２から情報を受信しうる。さらに、システム３００はＭＩＭＯシステムであってもよい。
【００３３】
モバイル装置３０２は、基地局３０４からのアップリンクリソースを要求することを容易にするリソースリクエスタ３０６を備える。モバイル装置３０２は、アップリンクリソースを要求することはできるが、リソース要求のために利用するための現在の（current）リソースを有さない。一面によれば、ＣＱＩチャネルはモバイル装置３０２に割り当てることができる。モバイル装置３０２は、割り当てられたＣＱＩチャネルを使用して、アップリンクリソースを要求することができる。リソースリクエスタ３０６は、ＣＱＩチャネルで基地局３０４へアップリンクリソース要求を送ることができる。アップリンクリソース要求と典型的なチャネル・フィードバック・データとを区別するために、リソースリクエスタ３０６は予約コードワード（reserved codewords）３０８を利用する。予約コードワード３０８は、チャネル・フィードバック情報あるいは他のデータとは対照的にアップリンクリソース要求を表わす。予約コードワード３０８は、モバイル装置３０２のメモリ（図示せず）に格納することができる。また、予約コードワード３０８は、必要な場合、プロセッサによって生成することができる。例えば、アップリンクリソース要求がなされる場合、予約コードワードを生成するアルゴリズムを使用することができる。
【００３４】
予約コードワード３０８がモバイル装置３０２によってＣＱＩチャネルで送信される期間中、ＣＱＩ情報を基地局３０４へ送ることはできない。さらに、モバイル装置３０２によってアップリンクリソースが要求される瞬間、ＣＱＩチャネルは、ダウンリンクスケジューリング、電力制御等のために基地局３０４へ情報を提供している。これらの場合、ＣＱＩ情報は、システム動作にとって必須ではなく、従って、ＣＱＩチャネルは高い抹消レート（erasure rate）（例えば、１０から２０パーセント）で動作することができる。しかしながら、ＣＱＩチャネルは、アップリンクリソース要求チャネルとして使用される場合、より信頼性が高い必要がある。アップリンクリソースの取得はシステム動作に重要となりうるので、モバイル装置３０２によって送信されるアップリンク要求は、基地局３０４によって確実に受信されなければならない。１つの可能性によれば、ＣＱＩチャネルは、低い抹消レート（例えば、１から２パーセント）で動作させて、アップリンク要求用のために推奨された信頼性を達成することができる。しかしながら、これは、あまりにも高価であると判明しうる、高いアップリンク・オーバヘッドを示す可能性がある。
【００３５】
モバイル装置３０２は、予約コードワード３０８の送信の信頼性を高めることを容易にするパワーブースター３１０を備える。パワーブースター３０８は、ＣＱＩチャネルのＰＳＤを、アップリンクリソース要求を示す（signifying）予約コードワード３０８のうちの１つが当該チャネルで送信される場合に増加させる。ＣＱＩチャネルのＰＳＤを調節することによって、チャネルの抹消レート又は誤り率を、当該チャネルで何の情報が送信されるのかに基づいて設定する（configure）ことができる。例えば、ダウンリンクスケジューリングのために利用されるＣＱＩ情報が送信されるべき場合、ＣＱＩチャネルは、より低いＰＳＤで、またその結果として、より高い誤り率で動作する。アップリンクリソース要求が送信される場合、当該要求が確実に送信され且つ受信されることができるように、ＣＱＩチャネルは、より高いＰＳＤで、またその結果として、より低い誤り率で動作する。
【００３６】
基地局３０４は、要求ハンドラ３１２とスケジューラ３１６とを備えることができる。要求ハンドラ３１２は、モバイル装置によって送信されるデータを聴く（listen）ことができる。要求ハンドラ３１２は、モバイル装置３０２又は任意の他のモバイル装置からのアップリンクリソース要求と、基地局３０４と通信中の複数の異なるモバイル装置とを識別する。アップリンクリソース要求は、無線通信システム３００の要求チャネル又は他のそのような物理チャネルや論理チャネルとは対照的にフィードバックチャネルで受信することができる。フィードバックチャネルは、ダウンリンクスケジューリングで利用されるチャネル品質情報を送信するために典型的に使用されるＣＱＩチャネルでありうる。要求ハンドラ３１２は、アップリンクリソース要求のために予約されたコードワード３１４の中から１つのコードワードを検出することによって、ＣＱＩチャネル上のアップリンクリソース要求を識別することができる。予約コードワード３１４は、基地局３０４のメモリ（図示せず）に格納し、ＣＱＩチャネルで受信されるコードワードとの比較のために要求ハンドラ３１２によって使用することができる。また、必要な場合、予約コードワードを生成するために基地局３０４にアルゴリズムを備えることができる。さらに、基地局３０４は、プロセッサと、当該プロセッサにＣＱＩチャネルで受信される情報を分析させて、予約コードワード３１４のうちの１つを識別させる命令とを備えることができる。
【００３７】
基地局３０４は更に、モバイル装置３０２にアップリンクリソースを割り当てる又はスケジュールするスケジューラ３１６を備える。スケジューリングの決定は、要求ハンドラ３１２によって識別されたアップリンクリソース要求に部分的に基づきうる。また、スケジューラ３１６は、基地局３０４によって受信された他のリソース要求を因数分解する（factor）ことができる。他の要求は、ＣＱＩチャネルを介して受信され、要求ハンドラ３１２によって処理することができ、あるいは、要求は従来の手段（例えば、アップリンクリソース要求チャネル）によって受信することができる。スケジューラ３１６は、アルゴリズム（例えば、ラウンドロビン、フェアキューイング（fair queuing）及び最大のスループット・スケジューリング）及び量子アルゴリズム（例えば、量子遺伝的な（quantum genetic）アルゴリズム）を使用して、モバイル装置３０２と任意の数の異なるモバイル装置のための最適な動作モードを判定することができる。一旦スケジュールされると、基地局３０４は、モバイル装置３０２にスケジュール情報を送信して、モバイル装置３０２が割り当てられたアップリンクリソースを利用することを可能にすることができる。スケジュール情報又はリソース割り当ては、データ転送速度、データ転送速度オフセット、送信のためのアンテナサブセット選択、アンテナパターン選択、周波数割り当てその他を含むことができる。
【００３８】
図４−図５を参照すると、アップリンクリソース要求を確実に送信することに関連する方法論が示されている。説明の単純性の目的のために、方法論は一連の動作として示され且つ記載されるが、幾つかの動作がそれからの他の行為と同時に及び／又は異なる順序に生じてもよい、方法論は動作の順序によって限定されず、１つ又は複数の実施形態に従って、幾つかの動作は、本明細書に記載され且つ示されるものとは異なる順序で及び／又は他の動作と同時に発生しうることが理解され、認識されるべきである。例えば、当業者は、方法論が、状態図におけるように、一連の相互関係のある状態若しくは事象として代わりに表わされうることを理解し、認識するだろう。さらに、１つ又は複数の実施形態に従って方法論を実施するために、例証される動作の全てが要求されるとは限らないことがある。
【００３９】
ここで図４に移ると、図示されているのは、アップリンクリソースを確実に要求することを容易にする方法論４００である。特に、方法４００はリソースが現在保持されていない場合に、アップリンクリソースを取得するために使用することができる。方法４００は、無線通信システムにおけるモバイル装置上で実現することができる。参照符号４０２で、電力増加閾値が取得される。電力増加閾値は、所望の誤り率又は抹消レートを達成すべくアップリンク要求に必要とされる電力増加の大きさを表わす値である。例えば、１から２パーセントの誤り率が推奨される。参照符号４０６では、アップリンクリソース要求が送信される。リソース要求は、例えば、チャネル品質指標（ＣＱＩ）チャネルといったフィードバックチャネルで送信することができる。リソース要求は、ＣＱＩチャネル上のＣＱＩ情報とアップリンクリソース要求とを区別する予約コードワードを含むことができる。参照符号４０４では、ＣＱＩチャネルのＰＳＤは、取得された電力増加閾値に少なくとも部分的には基づいて増加される。増加されたＰＳＤは、アップリンクリソース要求を表わす予約コードワードの送信の期間のチャネルの誤り率を引き下げる。符号４０８では、ＣＱＩチャネルのＰＳＤは、ＣＱＩ情報の送信のために標準のレベルに戻される。
【００４０】
図５を参照すると、図示されているのは、無線通信システムにおいてアップリンクリソースを割り当てることを容易にする方法論５００である。特に、方法５００は、リソースの無い要求中のエンティティにリソースを割り当てるために使用することができる。方法５００は、無線通信システムにおいて基地局で実現することができる。参照符号５０２で、データ送信が受信される。データ送信は、例えばＣＱＩチャネルといったフィードバックチャネルで受信することができる。ＣＱＩチャネルで受信されるデータ送信は典型的には、ダウンリンクスケジューリングに使用されるチャネル品質情報を含む。しかしながら、主題の開示によれば、ＣＱＩチャネルはアップリンクリソース要求を送信するためにモバイル装置によって使用することができる。参照符号５０４で、アップリンクリソース要求は、受信されたデータ送信で識別される。予約コードワードは、アップリンクリソース要求で利用される。予約コードワードは、チャネルで通常送信されるＣＱＩデータとリソース要求とを区別する。参照符号５０６で、アップリンクリソースが、要求しているエンティティに割り当てられる。割り当ては、識別されたリソース要求に少なくとも部分的に基づくことができる。
【００４１】
本明細書に記載される１つ又は複数の面によれば、アップリンクリソースが要求される必要があるかどうか、電力増加閾値を判定すること、アップリンクリソースをスケジュールすること等に関して、推論することができることが認識されるだろう。本明細書で用いられるように、「推論する（infer）」あるいは「推論（inference）」という推論は、データ及び／又は事象を介して獲得されるような１セットの観察から、システム、環境、及び／又はユーザの状態を推論する又は判断する処理を一般に指す。推論は、例えば、特定のコンテキスト（context）又は動作を識別するために使用することができ、あるいは、状態にわたった確率分布を生成することができる。推論は確立的、つまり、データ及び事象の考察に基づいて所定の状態の確率分布の計算とすることができる。推論はまた、１セットの事象及び／又はデータから、より高いレベルの事象を構成するために使用される技法を指すことができる。そのような推論は、１セットの観察された事象及び／又は格納された事象データから、事象が時間的に近接して相互に関係があるか否か、並びに、事象及びデータが１つ又は幾つかの事象及びデータソースからもたらされるのかどうかに関わらず、新たな事象又は動作の構成という結果になる。
【００４２】
一例によれば、上記に提示される１つ又は複数の方法は、アップリンクリソースをいつ要求するべきかを判定することに関する推論を行なうことを含むことができる。さらなる実例として、推論は、アップリンクリソース要求等の送信の期間に目標の誤り率を達成するために必要とされる電力レベル閾値の選択に関連して行なわれてもよい。先行する例は、本質的には例証であって、本明細書に記載される様々な実施形態及び／又は方法に関連して、そのような推論が行なわれる方法又は行なうことができる推論の数を限定することは意図されないことが認識されるだろう。
【００４３】
図６は、アップリンクリソースを確実に要求することを容易にするモバイル装置６００の例の図である。モバイル装置６００は、例えば、受信アンテナ（図示せず）からの信号を受信し、受信した信号に典型的なアクション（例えば、フィルタ、増幅、ダウンコンバート等）を実行し、調整された信号をデジタル化してサンプルを取得する受信器６０２を備える。受信器６０２は、例えばＭＭＳＥ受信器であることができ、受け取った記号を復調し、それらをチャネル推定のためにプロセッサ６０６へ提供することができる復調器６０４を備えることができる。プロセッサ６０６は、受信器６０２によって受信した情報を分析し、及び／又は、送信器６１６による送信のための情報を生成する目的のプロセッサ、モバイル装置６００の１つ又は複数の構成要素を制御するプロセッサ、及び／又は、受信器６０２によって受信した情報を分析し、送信器６１６による送信のための情報を生成し、モバイル装置６００の１つ又は複数の構成要素を制御するプロセッサであることができる。
【００４４】
モバイル装置６００は更に、プロセッサ６０６に動作的に接続され、送信するデータ、受信したデータ、利用可能チャネルに関する情報、分析した信号強度及び／又は干渉強度に関するデータ、割り当てられたチャネル、電力、レート等に関する情報、及び、チャネルを推定しチャネルを介して通信するためのその他任意の適切な情報を格納するメモリ６０８を備えることができる。メモリ６０８は更に、チャネルの推定及び／又は利用に関する（例えば、性能ベース、容量ベース等の）アルゴリズム及び／又はプロトコルを格納することができる。
【００４５】
本明細書で説明されるデータ記憶装置（例えば、メモリ６０８）は、揮発性メモリ又は不揮発性メモリの何れかであることができ、あるいは、揮発性メモリ及び不揮発性メモリ両方を含むことができる。限定ではなく例示として、不揮発性メモリは、読取専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、又はフラッシュメモリを含むことができる。揮発性メモリは、外部キャッシュメモリとして動作するランダム・アクセス・メモリ（ＲＡＭ）を含むことができる。限定ではなく例示として、ＲＡＭは、例えば同期ＲＡＭ（ＳＲＡＭ）、ダイナミックＲＡＭ（ＤＲＡＭ）、同期ＤＲＡＭ（ＳＤＲＡＭ）、ダブル・データ・レートＳＤＲＡＭ（ＤＤＲＳＤＲＡＭ）、エンハンストＳＤＲＡＭ（ＥＳＤＲＡＭ）、同期リンク（Synchlink）ＤＲＡＭ（ＳＬＤＲＡＭ）、及びダイレクト・ラムバスＲＡＭ（ＤＲＲＡＭ（登録商標））のような様々な形式で利用可能である。本システム及び方法のメモリ６０８は、これらのタイプ及びその他任意の適切なタイプのメモリに限定されず、それらを備えることが意図されている。
【００４６】
プロセッサ６０２は更に、アップリンクリソース要求を基地局へ送信することを容易にするリソースリクエスタ６１０に動作的に接続される。モバイル装置６００は、要求を生成するために保持されている現在のリソースがない時、アップリンクリソースを要求することができる。リソースリクエスタ６１０は、要求を生成するために別の物理チャネル又は論理チャネルを用いることができる。例えば、ＣＱＩチャネルが、アップリンクリソースを要求するために、リソースリクエスタ６１０によって用いられることができる。リソースリクエスタ６１０は、予約コードワードを送信することによって、ＣＱＩチャネルで基地局へアップリンクリソース要求を送信することができる。予約コードワードは、アップリンクリソース要求を表し、一般にチャネルで送信されるチャネル品質情報と区別することができる。予約コードワードは、モバイル装置６００のメモリ６０８内に格納されうる。加えて、予約コードワードは、プロセッサ６０６によって必要とされると生成されうることが理解されるべきである。例えば、メモリ６０８内に格納されたアルゴリズムは、アップリンクリソース要求のための予約コードワードを生成するために用いられることができる。
【００４７】
モバイル装置６００は更に、アップリンクリソース要求を示す予約コードワードの送信の信頼性を改善することを容易にするパワーブースター６１２を含む。パワーブースター６１２は、予約コードワードのうちの１つがチャネルで送信された場合、ＣＱＩチャネルのＰＳＤを増加させる。ＣＱＩチャネルのＰＳＤを調節することによって、チャネルの抹消レート又は誤り率は、チャネルで何の情報が送信されたかに基づいて構成されることができる。例えば、ダウンリンクスケジューリングのために用いられるＣＱＩ情報が送信された場合、ＣＱＩチャネルは低いＰＳＤで動作し、ゆえに高い誤り率で動作する。アップリンクリソース要求が送信されると、要求が確実に送受信されることができるように、ＣＱＩチャネルは高いＰＳＤで動作し、ゆえに低い誤り率で動作する。必要なパワーブーストの量を決定する電力レベル閾値が指定されうる。閾値は、基地局から取得され、受信器６０２によりモバイル装置６００によって受信されうる。加えて、閾値は、メモリ６０８内に格納され、例えばチャネル状態、干渉レベル等のような環境のパラメータに基づいて、プロセッサ６０６によって評価されうる。予約コードワードの送信後、ＰＳＤレベルが、ＣＱＩ情報の送信に適切な標準のレベルに戻されうる。モバイル装置６００は更に、例えば基地局、別のモバイル装置等へ信号（例えば、ＣＱＩチャネル上の予約コードワード）を送信する送信器６１６及び変調器６１４を備える。リソースリクエスタ６１０、パワーブースター６１２、及び／又は変調器６１４は、プロセッサ６０６から分離して図示されるが、プロセッサ６０６又は複数のプロセッサ（図示せず）の一部であることができることが理解されるべきである。
【００４８】
図７は、無線通信環境において要求に応答してアップリンクリソースを提供することを容易にするシステム７００の例の図である。システム７００は、複数の受信アンテナ７０６を介して１つ又は複数のモバイル装置７０４からの信号を受信する受信器７１０と、複数の送信アンテナ７０８を介して１つ又は複数のモバイル装置７０４へ送信する送信器７２２とを備える基地局７０２（例えばアクセスポイント等）を備える。受信器７１０は、アンテナ７０６から情報を受け取ることができ、受信した情報を復調する復調器７１２に動作的に関連付けられる。復調された記号は、図６に関して上述したプロセッサと同様であることができるプロセッサ７１４によって分析される。プロセッサ７１４は、（例えばパイロット）信号強度及び／又は干渉強度に関する情報、モバイル装置７０４（又は、異なる基地局（図示せず））へ送信されるデータ及びそこから受信されるデータ、及び／又は、本明細書で説明する様々な動作及び機能の実行に関連するその他任意の適切な情報を格納するメモリ７１６に接続される。
【００４９】
プロセッサ７１４は更に、受信アンテナ７０６及び受信器７１０によって受信された、モバイル装置７０４からのアップリンクリソース要求を識別する要求ハンドラ７１８に接続される。アップリンクリソース要求は、要求チャネルに対照的であるフィードバックチャネル、又は無線通信システムのその他のそのような物理チャネルや論理チャネルで受信されることができる。フィードバックチャネルは、一般にダウンリンクスケジューリングにおいて用いられるチャネル品質情報を送信するために用いられるＣＱＩチャネルであることができる。要求ハンドラ７１８は、アップリンクリソース要求のための予約されたコードワードのセットの中から１つのコードワードを検出することができる。ＣＱＩチャネルで受信されたコードワードとの比較のために、要求ハンドラ７１８によって用いられる予約コードワードは、メモリ７１６内に格納されうる。加えて、必要な場合予約コードワードを生成するためのアルゴリズムが、基地局７０２内に含まれうる。更に、プロセッサ７１４は、予約コードワードのうちの１つを識別するために、ＣＱＩチャネル上で受信した情報を分析することができる。
【００５０】
基地局７０２は更に、アップリンクリソースを、モバイル装置７０４に割り当て、スケジュールするスケジューラ７２０を含む。スケジューリングの決定は、要求ハンドラ７１８によって識別されたアップリンクリソース要求に部分的に基づくことができる。基地局７０２は、割り当てられたアップリンクリソースをモバイル装置７０４が用いることを可能にするために、モバイル装置７０４へスケジュール情報を送信することができる。スケジュール情報又はリソース割り当ては、データレート、データレートオフセット、送信のためのアンテナサブセット選択、アンテナパターン選択、周波数割当て等を含むことができる。送信される情報は、変調器７２２へ提供されうる。変調器７２２は、モバイル装置７０４への、アンテナ７０８を介した送信器７２６による送信のために情報を多重化することができる。要求ハンドラ７１８、スケジューラ７２０、及び／又は変調器７２２は、プロセッサ７１４から分離して図示されるが、プロセッサ７１４又は複数のプロセッサ（図示せず）の一部であることもできることが理解されるべきである。
【００５１】
図８は、無線通信システム８００の例を示す。無線通信システム８００は、簡略化のために、１つの基地局８１０及び１つのモバイル装置８５０を示す。しかし、システム８００は、複数の基地局及び／又は複数のモバイル装置を含むこともでき、追加の基地局及び／又はモバイル装置は、以下で説明される例となる基地局８１０及びモバイル装置８５０と実質的に同様でありうる又は異なりうることが理解されるべきである。加えて、基地局８１０及び／又はモバイル装置８５０は、それらの間の無線通信を容易にするために、本明細書で説明されるシステム（図１乃至図３及び図６乃至図７）及び／又は方法（図４乃至図５）を用いることができる。
【００５２】
基地局８１０で、複数のデータストリームのためのトラヒックデータが、データソース８１２から送信（ＴＸ）データプロセッサ８１４へ提供される。例によると、各データストリームは、それぞれのアンテナを介して送信されうる。ＴＸデータプロセッサ８１４は、符号化されたデータを提供するために、データストリームのために選択された特定の符号化スキームに基づいて、トラヒックデータストリームをフォーマット、符号化、及びインタリーブする。
【００５３】
各データストリームの符号化されたデータは、直交周波数分割多重（ＯＦＤＭ）技術を用いてパイロットデータと多重化されうる。加えて、又はその代わりに、パイロット記号は、周波数分割多重化（ＦＤＭ）、時分割多重化（ＴＤＭ）、符号分割多重化（ＣＤＭ）されうる。パイロットデータは一般に、周知の方式で処理された周知のデータパターンであり、チャネル応答を推定するためにモバイル装置８５０において用いられうる。各データストリームの多重化されたパイロット及び符号化されたデータは、変調記号を提供するために、そのデータストリームのために選択された特定の変調スキーム（例えば、２相位相シフトキーイング（ＢＰＳＫ）、４相位相シフトキーイング（ＱＰＳＫ）、Ｍ位相シフトキーイング、Ｍ直交振幅変調（Ｍ−ＱＡＭ）等）に基づいて変調されうる。各データストリームのためのデータレート、符号化、及び変調は、プロセッサ８３０によって提供又は実行される命令によって決定されうる。
【００５４】
データストリームのための変調記号は、（例えばＯＦＤＭのための）変調記号を更に処理することができるＴＸ  ＭＩＭＯ  プロセッサ８２０へ提供されうる。ＴＸ  ＭＩＭＯ  プロセッサ８２０はその後、ＮＴ個の変調記号ストリームをＮＴ個の送信器（ＴＭＴＲ）８２２ａ乃至８２２ｔへ提供する。様々な実施形態において、ＴＸ  ＭＩＭＯ  プロセッサ８２０は、データストリームの記号及び記号が送信されているアンテナにビームフォーミング重みを適用する。
【００５５】
各送信器８２２は、１つ又は複数のアナログ信号を提供するために、それぞれの記号ストリームを受け取って処理し、ＭＩＭＯチャネルを介した送信のために適切な変調信号を提供するために、アナログ信号を更に調整（例えば、増幅、フィルタ、及びアップコンバート）する。更に、送信器８２２ａ乃至８２２ｔからのＮＴ個の変調信号が、ＮＴ個のアンテナ８２４ａ乃至８２４ｔからそれぞれ送信される。
【００５６】
モバイル装置８５０で、送信された変調信号がＮＲ個のアンテナ８５２ａ乃至８５２ｒによって受信され、各アンテナ８５２から受信された信号は、それぞれの受信器（ＲＣＶＲ）８５４ａ乃至８５４ｒへ提供される。各受信器８５４は、各々の信号を調整（例えば、フィルタ、増幅、及びダウンコンバート）し、サンプルを提供するために調整した信号をデジタル化し、更に、対応する「受信(received)」記号ストリームを提供するためにサンプルを処理する。
【００５７】
ＲＸデータプロセッサ８６０は、ＮＴ個の「検出された」記号ストリームを提供するために、特定の受信器処理技術に基づいて、ＮＲ個の受信器８５４からのＮＲ個の受信記号ストリームを受け取り、処理することができる。ＲＸデータプロセッサ８６０は、データストリームのトラヒックデータを回復するために、検出された各記号ストリームを復調、デインタリーブ、及び復号することができる。ＲＸデータプロセッサ８６０による処理は、基地局８１０のＴＸ  ＭＩＭＯ  プロセッサ８２０及びＴＸデータプロセッサ８１４によって実行される処理と相補的である。
【００５８】
プロセッサ８７０は、何れのプレコーディングマトリクスを上記のように用いるかを定期的に判定することができる。更にプロセッサ８７０は、マトリクスインデクス部分及びランク値部分を備える逆方向リンクメッセージを公式化することができる。
【００５９】
逆方向リンクメッセージは、通信リンク及び／又は受信したデータストリームに関する様々なタイプの情報を備えることができる。逆方向リンクメッセージは、複数のデータストリームのトラヒックデータをデータソース８３６から受け取ることもできるＴＸデータプロセッサ８３８によって処理され、変調器８８０によって変調され、送信器８５４ａ乃至８５４ｒによって調整され、基地局８１０へ送信されうる。
【００６０】
基地局８１０において、モバイル装置８５０からの変調信号が、アンテナ８２４によって受信され、受信器８２２によって調整され、復調器８４０によって復調され、モバイル装置８５０によって送信される逆方向リンクメッセージを抽出するためにＲＸデータプロセッサ８４２によって処理される。更に、プロセッサ８３０は、ビームフォーミング重みを決定するために何れのプレコーディングマトリクスを用いるかを判定するために、抽出したメッセージを処理することができる。
【００６１】
プロセッサ８３０及び８７０は、基地局８１０及びモバイル装置８５０の動作をそれぞれ指示（例えば、制御、調整、管理等）することができる。各プロセッサ８３０及び８７０は、プログラムコード及びデータを格納するメモリ８３２及び８７２に関連付けられうる。プロセッサ８３０及び８７０は、それぞれアップリンク及びダウンリンクのための周波数応答推定値及びインパルス応答推定値を導出する計算を実行することもできる。
【００６２】
本明細書で説明された実施形態は、ハードウェア、ソフトウェア、ファームウェア、ミドルウェア、マイクロコード、又はこれらの任意の組み合わせによって実現されうる。ハードウェア実現の場合、処理ユニットは、１つ又は複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロコントローラ、マイクロプロセッサ、本明細書に示される機能を実行するように設計されたその他の電子ユニット、又はそれらの組み合わせにおいて実現されうる。
【００６３】
実施形態がソフトウェア、ファームウェア、ミドルウェア又はマイクロコード、プログラムコード又はコードセグメントによって実現される場合、それらは、例えば記憶素子のような機械読取可能媒体内に格納されうる。コードセグメントは、手順、関数、サブプログラム、プログラム、ルーチン、サブルーチン、モジュール、ソフトウェアパッケージ、クラス、又は命令、データ構成、あるいはプログラムステートメントの任意の組み合わせを表すことができる。コードセグメントは、情報、データ、引数、パラメータ、又はメモリコンテンツを渡し、受け取ることによって、別のコードセグメント又はハードウェア回路に接続されうる。情報、引数、パラメータ、データ等は、メモリ共有、メッセージパッシング、トークンパッシング、ネットワーク送信等を含む任意の適切な手段を用いて渡され、転送され、あるいは送信されうる。
【００６４】
ソフトウェア実現の場合、本明細書で説明される技術は、本明細書に示される機能を実行するモジュール（例えば、手順、関数等）を用いて実現されうる。ソフトウェアコードは、メモリユニット内に格納され、プロセッサによって実行されうる。メモリユニットは、プロセッサ内に、又はプロセッサに外付けで実現され、何れの場合も、当該技術において周知である様々な手段を介してプロセッサと通信可能に接続されうる。
【００６５】
図９を参照すると、無線通信環境においてアップリンクリソースを確実に要求することを実現するシステム９００が示される。例えばシステム９００は、少なくとも部分的にモバイル装置内に存在することができる。システム９００は、プロセッサ、ソフトウェア、又はそれらの組み合わせ（例えばファームウェア）によって実現される機能を表す機能ブロックであることができる機能ブロックを含むとして表されることが理解されるべきである。システム９００は、関連して動作することができる電子部品の論理グループ９０２を含む。例えば、論理グループ９０２は、アップリンクリソース要求を送信する電子部品９０４を含むことができる。アップリンクリソース要求は、例えば、従来ダウンリンクスケジューリングのためのチャネル品質インジケータを基地局へ伝送するフィードバック情報チャネルで送信されうる。アップリンクリソース要求は、予約コードワードのセットからの少なくとも１つのコードワードを備えることができる。更に、論理グループ９０２は、フィードバック情報チャネルの電力スペクトル密度を増加させる電子部品９０６を備えることができる。ＣＱＩチャネルの電力スペクトル密度は、ＣＱＩ情報を伝送するＣＱＩチャネル上で従来用いられたターゲット誤り率より低いターゲット誤り率を達成するために、予約コードワードのうちの１つがチャネルで送信されると、ブーストされうる。ＣＱＩチャネルの電力スペクトル密度を調節することによって、チャネルの抹消レート又は誤り率は、チャネルで何の情報が送信されたかに基づいて構成されることができる。加えて、システム９００は、電子部品９０４及び９０６に関する機能を実行するための命令を保持するメモリ９０８を含むことができる。電子部品９０４及び９０６のうちの１つ又は複数は、メモリ９０８に外付けであるように図示されるが、メモリ９０８内に存在しうることが理解されるべきである。
【００６６】
図１０には、無線通信環境においてアップリンクリソースを提供することを容易にするシステム１０００が示される。システム１０００は、例えば基地局内に存在することができる。図示されるように、システム１０００は、プロセッサ、ソフトウェア、又はそれらの組み合わせ（例えばファームウェア）によって実現される機能を表すことができる機能ブロックを含む。システム１０００は、順方向リンク送信を制御することを容易にする電子部品の論理グループ１００２を含む。論理グループ１００２は、アップリンクリソース要求を識別する電子部品１００４を含むことができる。例えばモバイル装置は、ＣＱＩ情報を送信するために通常用いられるフィードバック情報チャネルで要求を送信することができる。アップリンクリソース要求は、チャネルで送信された予約コードワードによってＣＱＩ情報と区別されうる。更に、論理グループ１００２は、識別された要求に基づいてリソースをスケジュールする電子部品１００６を含むことができる。加えて、システム１０００は、電子部品１００４及び１００６に関する機能を実行する命令を保持するメモリ１００８を含むことができる。電子部品１００４及び１００６は、メモリ１００８に外付けであるように図示されるが、メモリ１００８内に存在することができることが理解されるべきである。
【００６７】
上記記載は、１つ又は複数の実施形態の例を含む。上述した実施形態の説明の目的のために、方法論又は構成要素の考えられうる組み合わせ全てを説明することは不可能であるが、当業者は、様々な実施形態の更なる組み合わせ及び入れ替えが可能であることを理解するであろう。従って、説明された実施形態は、特許請求の範囲の精神及び範囲内であるそのような変更、改良、及び変形の全てを包含することが意図されている。更に、「含む」という用語は、明細書又は特許請求の範囲の何れかにおいて用いられる限り、「備える」という用語が特許請求の範囲において接続する語句として用いられる場合の「備える」と同様に包括的であることが意図されている。
以下に、本願出願の当初の特許請求の範囲に記載された発明を付記する。
［Ｃ１］無線通信環境においてリソースを取得することを容易にする方法であって、
フィードバック情報チャネルでアップリンクリソース要求を送信することと、
前記フィードバック情報チャネルの電力スペクトル密度を増加させることとを備え、前記増加は前記送信の信頼性を改善する方法。
［Ｃ２］アップリンクリソース要求のための１つ又は複数のコードワードを予約することを更に備えるＣ１に記載の方法。
［Ｃ３］前記アップリンクリソース要求を送信することは、前記フィードバックチャネルで、前記予約された１つ又は複数のコードワードのうちの少なくとも１つを送信することを備えるＣ２に記載の方法。
［Ｃ４］前記アップリンクリソース要求の送信後、前記フィードバック情報チャネルの電力スペクトル密度を低減することを更に備えるＣ１に記載の方法。
［Ｃ５］ターゲット誤り率を達成するために必要なブースト量を表す電力レベル閾値を取得することを更に備えるＣ１に記載の方法。
［Ｃ６］前記電力スペクトル密度を増加させることは、前記ブースト量だけ、現在の電力スペクトル密度値を増加させることを備えるＣ５に記載の方法。
［Ｃ７］前記フィードバック情報チャネルは、チャネル品質インジケータを送信するために従来用いられたチャネル品質情報チャネルであるＣ１に記載の方法。
［Ｃ８］フィードバック情報チャネルでアップリンクリソース要求を送信することと、前記フィードバック情報チャネルの電力スペクトル密度を増加させることとに関連し、前記増加は前記送信の信頼性を改善する命令群を保持するメモリと、
前記メモリに接続され、前記メモリ内に保持された前記命令群を実行するように構成されたプロセッサと
を備える無線通信装置。
［Ｃ９］前記メモリは更に、アップリンクリソース要求のための１つ又は複数のコードワードを予約する命令群を保持するＣ８に記載の無線通信装置。
［Ｃ１０］前記メモリは、前記予約された１つ又は複数のコードワードを保持するＣ９に記載の無線通信装置。
［Ｃ１１］前記メモリは更に、前記アップリンクリソース要求の送信後、前記フィードバック情報チャネルの電力スペクトル密度を低減する命令群を保持するＣ８に記載の無線通信装置。
［Ｃ１２］前記メモリは更に、ターゲット誤り率を達成するために必要なブースト量を表す電力レベル閾値を取得する命令群を保持するＣ８に記載の無線通信装置。
［Ｃ１３］前記電力スペクトル密度を増加させることに関連する命令群は、前記ブースト量だけ、現在の電力スペクトル密度値を増加させることに関連する命令群を備えるＣ１１に記載の無線通信装置。
［Ｃ１４］前記フィードバック情報チャネルは、チャネル品質インジケータを送信するために従来用いられたチャネル品質情報チャネルであるＣ８に記載の無線通信装置。
［Ｃ１５］無線通信環境においてリソースを取得することを容易にする無線通信装置であって、 フィードバック情報チャネルでアップリンクリソース要求を送信する手段と、
前記フィードバック情報チャネルの電力スペクトル密度を増加させる手段とを備え、前記増加は、前記送信の信頼性を改善する無線通信装置。
［Ｃ１６］アップリンクリソース要求のための１つ又は複数のコードワードを予約する手段を更に備えるＣ１５に記載の無線通信装置。
［Ｃ１７］前記アップリンクリソース要求を送信する手段は、前記フィードバック情報チャネルで、前記予約された１つ又は複数のコードワードのうちの少なくとも１つを送信する手段を更に備えるＣ１６に記載の無線通信装置。
［Ｃ１８］前記アップリンクリソース要求の送信後、前記フィードバック情報チャネルの電力スペクトル密度を低減する手段を更に備えるＣ１５に記載の無線通信装置。
［Ｃ１９］ターゲット誤り率を達成するために必要なブースト量を表す電力レベル閾値を取得する手段を更に備えるＣ１５に記載の無線通信装置。
［Ｃ２０］前記電力スペクトル密度を増加させる手段は、前記ブースト量だけ、現在の電力スペクトル密度値を増加させる手段を備えるＣ１９に記載の無線通信装置。
［Ｃ２１］前記フィードバック情報チャネルは、チャネル品質インジケータを送信するために従来用いられたチャネル品質情報チャネルであるＣ２０に記載の無線通信装置。
［Ｃ２２］フィードバック情報チャネルでアップリンクリソース要求を送信し、
前記フィードバック情報チャネルの電力スペクトル密度を増加させる
機械実行可能命令群を格納して有する機械読取可能媒体であって、前記増加は、前記送信の信頼性を改善する機械読取可能媒体。
［Ｃ２３］アップリンクリソース要求のための１つ又は複数のコードワードを予約する命令群を更に備えるＣ２２に記載の機械読取可能媒体。
［Ｃ２４］前記アップリンクリソース要求を送信することは、前記フィードバック情報チャネルで、前記予約された１つ又は複数のコードワードのうちの少なくとも１つを送信することを備えるＣ２３に記載の機械読取可能媒体。
［Ｃ２５］前記アップリンクリソース要求の送信後、前記フィードバック情報チャネルの電力スペクトル密度を低減する命令群を更に備えるＣ２２に記載の機械読取可能媒体。
［Ｃ２６］ターゲット誤り率を達成するために必要なブースト量を表す電力レベル閾値を取得する命令群を更に備えるＣ２２に記載の機械読取可能媒体。
［Ｃ２７］前記電力スペクトル密度を増加させることは、前記ブースト量だけ、現在の電力スペクトル密度値を増加させることを備えるＣ２６に記載の機械読取可能媒体。
［Ｃ２８］前記フィードバック情報チャネルは、チャネル品質インジケータを送信するために従来用いられたチャネル品質情報チャネルであるＣ２２に記載の機械読取可能媒体。
［Ｃ２９］無線通信システムにおける装置であって、
フィードバック情報チャネルでアップリンクリソース要求を送信し、
前記フィードバック情報チャネルの電力スペクトル密度を増加させる
ように構成された集積回路を備え、
前記増加は、前記送信の信頼性を改善する装置。
［Ｃ３０］無線通信環境においてアップリンクリソースを提供することを容易にする方法であって、
フィードバック情報チャネル上でアップリンクリソース要求を識別することと、
前記識別されたアップリンクリソース要求に少なくとも部分的に基づいて、１つ又は複数のモバイル装置に関するリソースをスケジュールすることと
を備える方法。
［Ｃ３１］前記フィードバック情報チャネルでのデータ送信を受信することを更に備えるＣ３０に記載の方法。
［Ｃ３２］前記アップリンクリソース要求を識別することは、アップリンクリソース要求を表すために予約されたコードワードのセットのうちの少なくとも１つを認識することを備えるＣ３０に記載の方法。
［Ｃ３３］前記フィードバック情報チャネルは、チャネル品質インジケータを送信するために従来用いられたチャネル品質情報チャネルであるＣ３０に記載の方法。
［Ｃ３４］フィードバック情報チャネル上でアップリンクリソース要求を識別することと、前記識別されたアップリンクリソース要求に少なくとも部分的に基づいて、１つ又は複数のモバイル装置に関するリソースをスケジュールすることとに関連する命令群を保持するメモリと、
前記メモリに接続され、前記メモリ内に保持された命令群を実行するように構成されたプロセッサと
を備える無線通信装置。
［Ｃ３５］前記メモリは更に、前記フィードバック情報チャネルでのデータ送信を受信することに関連する命令群を保持するＣ３４に記載の無線通信装置。
［Ｃ３６］前記アップリンクリソース要求を識別することは、アップリンクリソース要求を表すために予約されたコードワードのセットのうちの少なくとも１つを認識することを備えるＣ３４に記載の無線通信装置。
［Ｃ３７］前記フィードバック情報チャネルは、チャネル品質インジケータを送信するために従来用いられたチャネル品質情報チャネルであるＣ３４に記載の無線通信装置。
［Ｃ３８］無線通信環境においてアップリンクリソースを提供することを容易にする無線通信装置であって、
フィードバック情報チャネル上でアップリンクリソース要求を識別する手段と、
前記識別されたアップリンクリソース要求に少なくとも部分的に基づいて、１つ又は複数のモバイル装置に関するリソースをスケジュールする手段と
を備える無線通信装置。
［Ｃ３９］前記フィードバック情報チャネルでのデータ送信を受信する手段を更に備えるＣ３８に記載の無線通信装置。
［Ｃ４０］前記アップリンクリソース要求を識別することは、アップリンクリソース要求を表すために予約されたコードワードのセットのうちの少なくとも１つを認識することを備えるＣ３８に記載の無線通信装置。
［Ｃ４１］前記フィードバック情報チャネルは、チャネル品質インジケータを送信するために従来用いられたチャネル品質情報チャネルであるＣ３８に記載の無線通信装置。
［Ｃ４２］格納された機械実行可能命令群であって、
フィードバック情報チャネル上でアップリンクリソース要求を識別し、
前記識別されたアップリンクリソース要求に少なくとも部分的に基づいて、１つ又は複数のモバイル装置に関するリソースをスケジュールする
機械実行可能命令群を格納して有する機械読取可能媒体。
［Ｃ４３］前記フィードバック情報チャネルでのデータ送信を受信する命令群を更に備えるＣ４２に記載の機械読取可能媒体。
［Ｃ４４］前記アップリンクリソース要求を識別することは、アップリンクリソース要求を表すために予約されたコードワードのセットのうちの少なくとも１つを認識することを備えるＣ４２に記載の機械読取可能媒体。
［Ｃ４５］前記フィードバック情報チャネルは、チャネル品質インジケータを送信するために従来用いられたチャネル品質情報チャネルであるＣ４２に記載の機械読取可能媒体。
［Ｃ４６］無線通信システムにおける装置であって、
フィードバック情報チャネル上でアップリンクリソース要求を識別し、
前記識別されたアップリンクリソース要求に少なくとも部分的に基づいて、１つ又は複数のモバイル装置に関するリソースをスケジュールする
ように構成された集積回路を備える装置。
【図１】
0005694261.tif 000002
【図２】
0005694261.tif 000003
【図３】
0005694261.tif 000004
【図４】
0005694261.tif 000005
【図５】
0005694261.tif 000006
【図６】
0005694261.tif 000007
【図７】
0005694261.tif 000008
【図８】
0005694261.tif 000009
【図９】
0005694261.tif 000010
【図１０】
0005694261.tif 000011